(57)【特許請求の範囲】
【請求項１】
バッテリーに装着するカバー体の上部位置に排気部を設け、バッテリーから発生する水素ガスを酸化させ水蒸気とする触媒を前記排気部に配設したことを特徴とするバッテリー用の水素ガス処理装置。
【請求項２】
前記カバー体を、前記バッテリーの上部を覆うように上方からバッテリーに装着し得るように構成したことを特徴とする請求項１記載のバッテリー用の水素ガス処理装置。
【請求項３】
前記カバー体の上部位置に設けた排気部に、前記触媒を収納した通気可能な収納部を設けて、前記触媒を前記排気部に配設したことを特徴とする請求項１，２のいずれか１項に記載のバッテリー用の水素ガス処理装置。
【請求項４】
前記排気部に容体取付部を設け、前記触媒を通気可能に収納した収納体を前記容体取付部に配設して前記収納部を構成したことを特徴とする請求項３記載のバッテリー用の水素ガス処理装置。
【請求項５】
前記排気部に設ける前記触媒を収納した収納部を、前記カバー体の内部上面の最上部位置に配設して、前記バッテリーから発生する水素ガスがカバー体の内部上面に停留してしまうことなく前記触媒に導かれ、この触媒によって酸化された水蒸気が前記カバー体の外部へと排気されるように構成したことを特徴とする請求項１〜４のいずれか１項に記載のバッテリー用の水素ガス処理装置。
【発明の詳細な説明】
【０００１】
【発明の属する技術分野】
本発明は、バッテリーの充電時に発生する水素ガスを酸化し水蒸気として排気するバッテリー用の水素ガス処理装置に関するものである。
【０００２】
【従来の技術及び発明が解決しようとする課題】
例えば、アウトドア用電源として、廉価な車載用のバッテリーが用いられているが、バッテリーは充電時に水素ガスを発生するため車室内では充電させない仕様となっている。
【０００３】
また、最近、車載ソーラセルの電力を充電するバッテリーを車室内に置きたい要望もあるが、やはり充電時に水素ガスを発生するため、車室内には置けない仕様とせざるを得ない。
【０００４】
一方、バッテリー技術の中に触媒栓という技術がある。
【０００５】
この触媒栓は、バッテリーの上部の排気口となるネジ込み孔に栓体をネジ込み装着するもので、バッテリーの内部で発生する酸素ガスと水素ガスをこの栓体内に設けた触媒により水蒸気化して自然冷却し、水として再び排気口を介してバッテリー内へ戻し、無補水化を実現しようとするものである。
【０００６】
しかし、このような触媒栓は排気口となるネジ込み口にネジ込み装着する構成であるから、このネジ込み口の規格が各社同一ではないために、バッテリー交換の際、他社のバッテリーを購入すると装着できない場合がある。
【０００７】
本発明は、このような問題に着目し、水素ガスを水として再びバッテリー内へ戻すというこれまでの触媒栓の基本的な発想を転換し、水素ガスを水蒸気としこの水蒸気をそのまま外部へ排気する構成とすると共に、更にバッテリーに装着するカバー体に触媒を設ける構成として、バッテリーのメーカーが異なっても装着でき、バッテリー内で発生する水素ガスを水蒸気化して外部へ排出させることができ、バッテリーを車室内にも置くことができることとなる画期的なバッテリー用の水素ガス処理装置を提供することを目的としている。
【０００８】
【課題を解決するための手段】
添付図面を参照して本発明の要旨を説明する。
【０００９】
バッテリー１に装着するカバー体２の上部位置に排気部３を設け、バッテリー１から発生する水素ガスを酸化させ水蒸気とする触媒４を前記排気部３に配設したことを特徴とするバッテリー用の水素ガス処理装置に係るものである。
【００１０】
また、前記カバー体２を、前記バッテリー１の上部を覆うように上方からバッテリー１に装着し得るように構成したことを特徴とする請求項１記載のバッテリー用の水素ガス処理装置に係るものである。
【００１１】
また、前記カバー体２の上部位置に設けた排気部３に、前記触媒４を収納した通気可能な収納部５を設けて、前記触媒４を前記排気部３に配設したことを特徴とする請求項１，２のいずれか１項に記載のバッテリー用の水素ガス処理装置に係るものである。
【００１２】
また、前記排気部３に容体取付部５Ｂを設け、前記触媒４を通気可能に収納した収納体５Ａを前記容体取付部５Ｂに配設して前記収納部５を構成したことを特徴とする請求項３記載のバッテリー用の水素ガス処理装置に係るものである。
【００１３】
また、前記排気部３に設ける前記触媒４を収納した収納部５を、前記カバー体２の内部上面の最上部位置に配設して、前記バッテリー１から発生する水素ガスがカバー体２の内部上面に停留してしまうことなく前記触媒４に導かれ、この触媒４によって酸化された水蒸気が前記カバー体２の外部へと排気されるように構成したことを特徴とする請求項１〜４のいずれか１項に記載のバッテリー用の水素ガス処理装置に係るものである。
【００１４】
【発明の実施の形態】
最良と考える本発明の実施の形態（発明をどのように実施するか）を、図面に基づいてその作用効果を示して簡単に説明する。
【００１５】
例えばバッテリー１に本発明たるカバー体２を装着する。あるいは、バッテリー１に予めカバー体２を装着したカバー付バッテリーを提供する。
【００１６】
このバッテリー１においては、充電時に水素ガスが発生しても、この水素ガスはバッテリー１の外部へそのまま排気されずカバー体２内へ排気され、カバー体２の上部に設けた触媒４へと導かれ、この触媒４によって酸化され水蒸気となってカバー体２上部の排気部３から外部へと排出される。
【００１７】
従って、水素ガスは水蒸気となって外部へ排出されるからバッテリー１を車両室内に置くことも取り付け配設することも可能となる。
【００１８】
また、この触媒４はカバー体２の排気部３を設けた上部位置に配設されているから、水素ガスは空気より軽いためこの触媒４へと導かれて酸化され水蒸気となってから外部へ排気される。
【００１９】
しかも、この触媒４はバッテリー１に装着するカバー体２に設け、従来の触媒栓のようにネジ込み口にネジ込み装着する構成でないため、バッテリー１の外形規格にさほどの相違がないことから、バッテリー１のメーカーが異なっても容易に装着可能となる。
【００２０】
【実施例】
本発明の具体的な実施例について図面に基づいて説明する。
【００２１】
バッテリー１に装着するカバー体２の上部位置に排気部３を設け、バッテリー１から発生する水素ガスと酸素ガスを再結合させて水蒸気とする触媒４を前記排気部３に配設した構成とし、本実施例のカバー体２は、バッテリー１の上面部を覆ってこのバッテリー１の上面部の液口栓６の通気孔７から排気される水素ガスと酸素ガスとを導くための導入空間８が形成される底部開口形の箱状体に構成し、上方からバッテリー１に装着し得るように構成している。
【００２２】
本実施例では、このカバー体２の上部位置に通気可能な排気部３を設け、この排気部３に前記触媒４を収納した通気可能な収納部５を設けて、前記触媒４を前記排気部３に配設している。
【００２３】
また、前記排気部３は、カバー体２の上壁部を突出状態に設けた突出部９の上下の閉塞壁部３Ａに通気孔３Ｂを設けた構成とし、この閉塞壁部３Ａ間に収納部分を形成して前記収納部５とし、この収納部５内に粒状の前記触媒４を収納した構成としている。
【００２４】
従って、この収納部５がカバー体２の内部上面の最上部位置に配設され、前記バッテリー１から発生する水素ガス、酸素ガスがカバー体２の内部上面に停留してしまうことなく自然に前記触媒４に導かれ、この触媒４によって酸化された（水素ガスと酸素ガスとが結合した）水蒸気が前記排気部３からカバー体２の外部へと排出されるように構成している。
【００２５】
従って、例えばバッテリー１にカバー体２を装着する。あるいは、バッテリー１に予めカバー体２を装着したカバー付バッテリーを提供すれば、バッテリー１の充電時に発生する水素ガスは、そのままバッテリー１の外部へ排出されずカバー体２内へ排出され、カバー体２の上部に設けた触媒４へと導かれ、この触媒４によって酸化され水蒸気となってカバー体２上部の排気部３から外部へと排出される。
【００２６】
即ち、バッテリー１内で水素ガス・酸素ガスが発生すると、バッテリー１の上面部の例えば液口栓６に設けてある通気孔７からカバー体２内の導入空間８に排気され、水素ガス・酸素ガスは空気より軽く排気部３も上部に設けてあるため、カバー体２内を上昇し、排気部３へと導かれる。
【００２７】
この排気部３を設ける部分に触媒４を配設しているため、水素ガスと酸素ガスはこの触媒４へと導かれて水蒸気となってから外部へ排気される。
【００２８】
具体的には、本実施例ではカバー体２内を上昇する水素ガス・酸素ガスは、収納部５の下部閉塞壁部３Ａの通気孔３Ｂを通って収納部５内へ導かれ触媒４と接触した後、水蒸気となって上部閉塞閉差壁部３Ａの通気孔３Ｂを通って外部へ排出される。
【００２９】
従って、水素ガスは水蒸気となって外部へ排出されるからバッテリー１を車両室内へ置くことも配設することも可能となる。
【００３０】
しかも、この触媒４はバッテリー１に装着するカバー体２に設け、従来の触媒栓のようにネジ込み口にネジ込み装着する構成でないため、バッテリー１の外形規格にさほどの相違がないことから、バッテリー１のメーカーが異なっても容易に装着可能となる。
【００３１】
また、本実施例では、触媒４を収納した収納部５をカバー体２の内部上面２Ａの最上部位置、即ち導入空間８の最上部に設けたため、水素ガスが上部に停留することなく、確実に触媒４へ導かれて水蒸気となり外部へ排出される。
【００３２】
本実施例では、単に前述のように突出部９を設け、この突出部９を収納部５として構成することで前記作用・効果を確実に発揮できると共に、構成が簡単となり、量産性に秀れ、触媒４の収納も容易となる。
【００３３】
尚、前記触媒４への導入作用が一層良好となるようにカバー体２の内部上面２Ａを収納部５へ向かって上昇傾斜する傾斜面を付けても良い。
【００３４】
図１〜図４は前述のように構成した第１実施例であるが、この第１実施例ではパッキン10をカバー体２の下端縁部に設け、バッテリー１の上面を密閉状態に覆うようにバッテリー１の上面部に載置する構成としている。
【００３５】
このカバー体２とバッテリー１とに係合構造を設けて係合装着するように構成しても良いし、ベルト掛けなどして取付固定しても良いが、水素ガスは空気より軽く上昇するため、完全密閉したり、完全に係合固定する必要もなく、またカバー体２内の内圧が過剰に高くなることを防止することを考慮して完全密閉状態に係合装着しないように構成している。
【００３６】
尚、図中符号13はバッテリー１上面の極栓11と係合するための配線12をカバー体２内へ導くための配線12挿通部で、グロメットなどを利用して外部と通気遮断状態に配線できるようにした構成で、14は極栓11と係合する係合具である。
【００３７】
また、図５に示す第２実施例は、前記排気部３に容体取付部５Ｂを設け、前記触媒４を通気可能に収納した収納体５Ａを前記容体取付部５Ｂに配設して前記収納部５を構成した実施例である。
【００３８】
具体的には、予め通気性を有する多孔質材で形成した収納体５Ａ内に触媒４を収納し、この触媒４入りの収納体５Ａを容体取付部５Ｂに係合し、押さえ板（係止部）15で止着して収納部５を構成したものである。
【００３９】
このように構成することで、排気部３の形成と共に、触媒４のこの排気部３への配設構成が一層容易となり、一層量産性に秀れる。
【００４０】
また、図６はカバー体２を袋状に構成した第３実施例を示すもので、この実施例においては、排気部３（収納部５）を設けた上板部２Ｂにバッテリー１の上面部に載置する接地脚部２Ｃを垂設して、上板部２Ｂの下方に導入空間８が確保されるように構成し、更にこの上板部２Ｂにバッテリー１の少なくとも上部部分を覆う袋部２Ｄを垂設し、この袋部２Ｄによってバッテリー１の上部を覆い、バッテリー１内で発生する水素ガスを前述の実施例と同様に外部へ逃さずに補足するように構成している。
【００４１】
また、たとえ水素ガスは軽くても袋部２Ｄの下方から逃げ出ないようにするために、袋部２Ｄの下部をしぼり込み、カバー体２の装着状態を安定化するように構成している。
【００４２】
即ち、袋部２Ｄの開口袋部にしぼりひも16を挿通し、このしぼりひも16を引き出すことで、袋部２Ｄの開口部が狭められ、バッテリー１の胴部にしぼり込み当接するように構成している。
【００４３】
【発明の効果】
本発明は上述のように構成したから、水素ガスはそのまま外部へは排気されず確実に水蒸気となって外部へ排出されるため、バッテリーを車室内などへ置くことも可能となり、しかもバッテリーに装着するカバー体に触媒を設ける構成であるため、触媒栓とは違い例えばバッテリーのメーカーが異なっても装着可能となり、触媒栓に比べて著しく汎用性が向上する極めて画期的なバッテリー用の水素ガス処理装置となる。
【００４４】
また、請求項２記載の発明においては、一層確実にして良好に前記作用・効果を発揮するバッテリー用の水素ガス処理装置となる。
【００４５】
また、請求項３記載の発明においては、更に前記触媒の配設が容易となり、簡易な構成にして量産性に秀れ、一層確実にして良好に前記作用・効果を発揮するバッテリー用の水素ガス処理装置となる。
【００４６】
また、請求項４記載の発明においては、排気部３の形成と共に触媒４の排気部３への配設構成が一層容易となり、一層量産性に秀れたバッテリー用の水素ガス処理装置となる。
【００４７】
また、請求項５記載の発明においては、バッテリーから発生する水素ガスが内部上面に停留しずらく、一層良好に触媒へ導かれるため、一層量産性に秀れた極めて実用性に秀れたバッテリー用の水素ガス処理装置となる。
【図面の簡単な説明】
【図１】第１実施例の使用状態での説明分解斜視図である。
【図２】第１実施例の使用状態での説明断面図である。
【図３】第１実施例のカバー体の裏側より見た説明斜視図である。
【図４】第１実施例の要部の拡大説明断面図である。
【図５】第２実施例の要部の拡大説明断面図である。
【図６】第３実施例の使用状態の説明断面図である。
【符号の説明】
１  バッテリー
２  カバー体
３  排気部
４  触媒
５  収納部
５Ａ  収納体
５Ｂ  容体取付部
【図１】
0003705922.tif 000002
【図２】
0003705922.tif 000003
【図３】
0003705922.tif 000004
【図４】
0003705922.tif 000005
【図５】
0003705922.tif 000006
【図６】
0003705922.tif 000007